(57)【要約】【課題】  固定レートかつ遅延保証を行うＵＧＳクラスのような優先クラスに対する固定遅延を最小限に抑えた無線スロットの割当を可能にする。【解決手段】  基地局と端末局との間で多元接続方式による無線スロットの割り当てを行う無線スロット割当方法において、複数のＱｏＳクラスの中で固定レートかつ遅延保証を行う優先クラスに対して、他のＱｏＳクラスと分離した無線スロットを設け、この優先クラスのコネクション接続時に当該無線スロットを固定的に割り当てる。【選択図】        図２
2009130791.tif 000002
【特許請求の範囲】
【請求項１】
基地局と端末局との間で多元接続方式による無線スロットの割り当てを行う無線スロット割当方法において、
複数のＱｏＳクラスの中で固定レートかつ遅延保証を行う優先クラスに対して、他のＱｏＳクラスと分離した無線スロットを設け、この優先クラスのコネクション接続時に当該無線スロットを固定的に割り当てる
ことを特徴とする無線スロット割当方法。
【請求項２】
請求項１に記載の無線スロット割当方法において、
前記多元接続方式としてＯＦＤＭＡ／ＴＤＭＡ方式をとるときに、ＯＦＤＭＡフレーム内の所定の時間領域に設定した無線スロット、またはマルチゾーン方式で時間区分した無線スロットに前記優先クラスを割り当てる
ことを特徴とする無線スロット割当方法。
【請求項３】
請求項１に記載の無線スロット割当方法において、
前記多元接続方式としてＯＦＤＭＡ／ＴＤＭＡ方式をとるときに、ＯＦＤＭＡフレーム内の所定の周波数領域に設定した無線スロット、またはマルチゾーン方式で周波数区分した無線スロットに前記優先クラスを割り当てる
ことを特徴とする無線スロット割当方法。
【請求項４】
基地局と端末局との間で下りサブフレームおよび上りサブフレームの無線スロットの割り当てを行い、ＯＦＤＭＡ／ＴＤＭＡ方式により無線伝送を行う無線伝送システムにおいて、
前記基地局は、前記端末局に送信する下りデータから、複数のＱｏＳクラスの中で固定レートかつ遅延保証を行う優先クラスの下りデータと、その他のＱｏＳクラスの下りデータを分類し、前記優先クラスの下りデータをＯＦＤＭＡフレーム内の所定の時間領域に設定した無線スロットに割り当て、残りの無線スロットに前記優先クラス以外のＱｏＳクラスの下りデータを割り当てて送信する手段と、前記端末局からの受信信号からから前記優先クラスに割り当てられた無線スロットを抜き出し、その他のＱｏＳクラスに割り当てられた無線スロットと分離して処理する手段とを備え、
前記端末局は、前記基地局に送信する前記優先クラスの上りデータと、その他のＱｏＳクラスの上りデータを分離して入力し、前記優先クラスの上りデータをＯＦＤＭＡフレーム内の所定の時間領域に設定した無線スロットに割り当て、残りの無線スロットに前記優先クラス以外のＱｏＳクラスの上りデータを割り当てて送信する手段と、前記基地局からの受信信号から前記優先クラスに割り当てられた無線スロットを抜き出し、その他のＱｏＳクラスに割り当てられた無線スロットと分離して処理する手段とを備えた
ことを特徴とする無線伝送システム。
【請求項５】
基地局と端末局との間で下りサブフレームおよび上りサブフレームの無線スロットの割り当てを行い、ＯＦＤＭＡ／ＴＤＭＡ方式により無線伝送を行う無線伝送システムにおいて、
前記基地局は、前記端末局に送信する下りデータから、複数のＱｏＳクラスの中で固定レートかつ遅延保証を行う優先クラスの下りデータと、その他のＱｏＳクラスの下りデータを分類し、前記優先クラスの下りデータをＯＦＤＭＡフレーム内の所定の周波数領域に設定した無線スロットに割り当て、残りの無線スロットに前記優先クラス以外のＱｏＳクラスの下りデータを割り当てて送信する手段と、前記端末局からの受信信号から前記優先クラスに割り当てられた無線スロットを抜き出し、その他のＱｏＳクラスに割り当てられた無線スロットと分離して処理する手段とを備え、
前記端末局は、前記基地局に送信する前記優先クラスの上りデータと、その他のＱｏＳクラスの上りデータを分離して入力し、前記優先クラスの上りデータをＯＦＤＭＡフレーム内の所定の周波数領域に設定した無線スロットに割り当て、残りの無線スロットに前記優先クラス以外のＱｏＳクラスの上りデータを割り当てて送信する手段と、前記基地局からの受信信号から前記優先クラスに割り当てられた無線スロットを抜き出し、その他のＱｏＳクラスに割り当てられた無線スロットと分離して処理する手段とを備えた
ことを特徴とする無線伝送システム。
【請求項６】
請求項５に記載の無線伝送システムにおいて、
前記基地局は、前記優先クラスの下りデータをＯＦＤＭＡフレーム内の所定の周波数領域に設定した無線スロットに割り当て、前記受信信号から前記優先クラスに割り当てられた無線スロットを抜き出して処理する処理部を構成する第１のチップと、前記優先クラス以外のＱｏＳクラスの下りデータを残りの無線スロットに割り当て、前記受信信号から前記優先クラス以外のＱｏＳクラスに割り当てられた無線スロットを分離して処理する処理部を構成する第２のチップを共通のチップ構成とし、
前記端末局は、前記優先クラスの上りデータを周波数領域で指定された無線スロットに割り当て、前記下りデータから前記優先クラスに割り当てられた無線スロットを抜き出して処理する処理部を構成する第３のチップと、前記優先クラス以外のＱｏＳクラスの上りデータを無線スロットに割り当て、前記受信信号から前記優先クラス以外のＱｏＳクラスに割り当てられた無線スロットを分離して処理する処理部を構成する第４のチップを共通のチップ構成とする
ことを特徴とする無線伝送システム。
【請求項７】
基地局と端末局との間で無線スロットの割り当てを行い、ＯＦＤＭＡ／ＴＤＭＡ方式により無線伝送を行う無線伝送システムの基地局装置において、
前記端末局に送信する下りデータから、複数のＱｏＳクラスの中で固定レートかつ遅延保証を行う優先クラスの下りデータと、その他のＱｏＳクラスの下りデータを分類する手段と、
前記優先クラスの下りデータを時間領域で指定された無線スロットに割り当て、残りの無線スロットに前記優先クラス以外のＱｏＳクラスの下りデータを割り当てて送信する手段と、
前記端末局から受信する上りデータから前記優先クラスに割り当てられた無線スロットを抜き出し、その他のＱｏＳクラスに割り当てられた無線スロットと分離して処理する手段と
を備えたことを特徴とする基地局装置。
【請求項８】
基地局と端末局との間で無線スロットの割り当てを行い、ＯＦＤＭＡ／ＴＤＭＡ方式により無線伝送を行う無線伝送システムの基地局装置において、
前記端末局に送信する下りデータから、複数のＱｏＳクラスの中で固定レートかつ遅延保証を行う優先クラスの下りデータと、その他のＱｏＳクラスの下りデータを分類する手段と、
前記優先クラスの下りデータを周波数領域で指定された無線スロットに割り当て、残りの無線スロットに前記優先クラス以外のＱｏＳクラスの下りデータを割り当てて送信する手段と、
前記端末局から受信する上りデータから前記優先クラスに割り当てられた無線スロットを抜き出し、その他のＱｏＳクラスに割り当てられた無線スロットと分離して処理する手段と
を備えたことを特徴とする基地局装置。
【請求項９】
請求項８に記載の基地局装置において、
前記優先クラスの下りデータを周波数領域で指定された無線スロットに割り当て、前記上りデータから前記優先クラスに割り当てられた無線スロットを抜き出す処理部を構成する第１のチップと、前記優先クラス以外のＱｏＳクラスの下りデータを無線スロットに割り当て、前記受信信号から前記優先クラス以外のＱｏＳクラスに割り当てられた無線スロットを分離して処理する処理部を構成する第２のチップを共通のチップ構成とした
ことを特徴とする基地局装置。
【発明の詳細な説明】
【技術分野】
【０００１】
本発明は、ＯＦＤＭＡ（Orthogonal Frequency Division Multiple Access ：直交周波数分割多元接続）／ＴＤＭＡ（Time Division Multiple Access ：時分割多元接続）方式により、基地局と端末局との間で無線伝送を行うための無線スロット割当方法、無線伝送システムおよび基地局装置に関する。
【背景技術】
【０００２】
近年、無線通信により広域にブロードバンド・サービスを提供する無線伝送システムではＯＦＤＭＡが用いられており、さらに複数のＱｏＳ（Quality of Services)クラスをサポートし、音声や映像のリアルタイム配信のような、遅延時間に厳しいアプリケーションからベストエフォートまで、さまざまなサービスに対応することが可能になっている。
【０００３】
図８は、従来の無線伝送システムの装置構成例を示す。図８において、基地局１００は、下り回線の経路に、送信バッファ１０１、媒体アクセス制御（ＭＡＣ）部１０２、変調部１０３、上り回線と共用する送受信スイッチ（ＳＷ）１０４および送受信アンテナ１０５を備え、上り回線の経路に、復調部１０６、ＭＡＣ部１０７、受信バッファ１０８を備える。スケジューラ１０９は、送信バッファ１０１から下りキュー情報およびＱｏＳクラスを入力し、上り回線のＭＡＣ部１０７から上りデマンド情報を入力し、アサイン情報を生成して下り回線のＭＡＣ部１０２に与え、下り回線を介して端末局２００に通知する構成である。
【０００４】
端末局２００は、上り回線の経路に、送信バッファ２０１、ＭＡＣ部２０２、変調部２０３、下り回線と共用するＳＷ２０４および送受信アンテナ２０５を備え、下り回線の経路に、復調部２０６、ＭＡＣ部２０７、受信バッファ２０８を備える。デマンド生成部２０９は、送信バッファ２０１から上りキュー情報およびＱｏＳクラスを入力し、上りデマンド情報を生成して上り回線のＭＡＣ部２０２に与え、上り回線を介して基地局１００に通知する構成である。また、下り回線のＭＡＣ部２０７は、基地局１００から送信されたアサイン情報を分離し、上り回線のＭＡＣ部２０２に与える構成である。
【０００５】
下り回線では、基地局１００の下りデータを送信バッファ１０１に蓄積し、下りキュー情報およびＱｏＳクラスに基づいてスケジューリングして送信フレームに割り当てる。ＭＡＣ部１０２では、各フレーム中の周波数と時間で分割された領域である無線スロットに、各下りデータをデータ量に応じてマッピングする。変調部１０３はシンボル単位でＯＦＤＭ変調信号を生成し、ＳＷ１０４および送受信アンテナ１０５を介して送信する。端末局２００の復調部２０６は、送受信アンテナ２０５およびＳＷ２０４を介して入力する受信信号を復調し、ＭＡＣ部２０７で自局宛の下りデータのみを抽出し、受信バッファ２０８に一旦蓄積してＱｏＳクラスごとに分類して出力する。
【０００６】
上り回線では、遅延に対して緩いＱｏＳクラスに対してはデマンドアサインが用いられており、端末局２００の送信バッファ２０１に蓄積されたデータ量の上りキュー情報から上りデマンドを生成して基地局１００に送信する。基地局１００のスケジューラ１０９は、この上りデマンドを受信すると上りスロットの割当を算出し、アサイン情報として端末局２００に通知する。端末局２００のＭＡＣ部２０２は、このアサイン情報に基づいて上りデータをマッピングする。一方、固定レートかつ遅延保証を行うＱｏＳクラス（以下、ＵＧＳ（Unsolicited Grant Service)クラスという）に対しては固定割当が用いられており、上りデマンドなしに一定周期で上りスロットの割当が行われる。
【０００７】
ここで、従来のフレーム構成を図９に示す（非特許文献１）。本フレーム構成は、複信方式にＴＤＤを採用した場合であり、時間軸方向に下りサブフレーム、ＴＴＧ（送信／受信切り替えギャップ）、上りサブフレーム、ＲＴＧ（受信／送信切り替えギャップ）から構成される。下りサブフレームは、プリアンブル、アサイン情報、複数の下りスロットの各領域に分割され、上りフレームは、上りデマンドおよび複数の上りスロットの各領域に分割される。
【０００８】
なお、周波数軸は論理的なサブチャネルに分割され、タイムスロットとの組み合わせによってデータ領域が割り当てられる。ただし、下りサブフレームおよび上りサブフレームに割り当てられる無線スロットの周波数および時間の領域は自由度があり、送信データ量および伝送路状態に応じて決められる。
【非特許文献１】IEEE Std 802.16e-2005 、p.357, fig.218
【発明の開示】
【発明が解決しようとする課題】
【０００９】
従来の構成では、上記のように基地局の下りデータおよび端末局の上りデータはＱｏＳクラスの区別なく一旦送信バッファに蓄積され、例えばフレーム単位の信号処理によりＱｏＳを識別し、それに応じた無線スロットの割当が行われていた。そのため、フレーム単位の信号処理であればフレームサイズに応じた処理遅延がかかり、伝送遅延が大きくなる問題があった。特に、音声や映像のように遅延時間が通信品質に影響する場合には、この固定遅延が問題になっていた。
【００１０】
本発明は、固定レートかつ遅延保証を行うＵＧＳクラスのような優先クラスに対する固定遅延を最小限に抑えた無線スロットの割当を可能にする無線スロット割当方法、無線伝送システムおよび基地局装置を提供することを目的とする。
【課題を解決するための手段】
【００１１】
第１の発明は、基地局と端末局との間で多元接続方式による無線スロットの割り当てを行う無線スロット割当方法において、複数のＱｏＳクラスの中で固定レートかつ遅延保証を行う優先クラスに対して、他のＱｏＳクラスと分離した無線スロットを設け、この優先クラスのコネクション接続時に当該無線スロットを固定的に割り当てる。
【００１２】
ここで、多元接続方式としてＯＦＤＭＡ／ＴＤＭＡ方式をとるときに、ＯＦＤＭＡフレーム内の所定の時間領域に設定した無線スロット、またはマルチゾーン方式で時間区分した無線スロットに優先クラスを割り当てる。また、多元接続方式としてＯＦＤＭＡ／ＴＤＭＡ方式をとるときに、ＯＦＤＭＡフレーム内の所定の周波数領域に設定した無線スロット、またはマルチゾーン方式で周波数区分した無線スロットに優先クラスを割り当てる。
【００１３】
第２の発明は、基地局と端末局との間で下りサブフレームおよび上りサブフレームの無線スロットの割り当てを行い、ＯＦＤＭＡ／ＴＤＭＡ方式により無線伝送を行う無線伝送システムにおいて、基地局は、端末局に送信する下りデータから、複数のＱｏＳクラスの中で固定レートかつ遅延保証を行う優先クラスの下りデータと、その他のＱｏＳクラスの下りデータを分類し、優先クラスの下りデータをＯＦＤＭＡフレーム内の所定の時間領域／周波数領域に設定した無線スロットに割り当て、残りの無線スロットに優先クラス以外のＱｏＳクラスの下りデータを割り当てて送信する手段と、端末局からの受信信号からから優先クラスに割り当てられた無線スロットを抜き出し、その他のＱｏＳクラスに割り当てられた無線スロットと分離して処理する手段とを備え、端末局は、基地局に送信する優先クラスの上りデータと、その他のＱｏＳクラスの上りデータを分離して入力し、優先クラスの上りデータをＯＦＤＭＡフレーム内の所定の時間領域／周波数領域に設定した無線スロットに割り当て、残りの無線スロットに優先クラス以外のＱｏＳクラスの上りデータを割り当てて送信する手段と、基地局からの受信信号から優先クラスに割り当てられた無線スロットを抜き出し、その他のＱｏＳクラスに割り当てられた無線スロットと分離して処理する手段とを備える。
【００１４】
ここで、基地局は、優先クラスの下りデータをＯＦＤＭＡフレーム内の所定の周波数領域に設定した無線スロットに割り当て、受信信号から優先クラスに割り当てられた無線スロットを抜き出して処理する処理部を構成する第１のチップと、優先クラス以外のＱｏＳクラスの下りデータを残りの無線スロットに割り当て、受信信号から優先クラス以外のＱｏＳクラスに割り当てられた無線スロットを分離して処理する処理部を構成する第２のチップを共通のチップ構成とし、端末局は、優先クラスの上りデータを周波数領域で指定された無線スロットに割り当て、下りデータから優先クラスに割り当てられた無線スロットを抜き出して処理する処理部を構成する第３のチップと、優先クラス以外のＱｏＳクラスの上りデータを無線スロットに割り当て、受信信号から優先クラス以外のＱｏＳクラスに割り当てられた無線スロットを分離して処理する処理部を構成する第４のチップを共通のチップ構成としてもよい。
【００１５】
第３の発明は、基地局と端末局との間で無線スロットの割り当てを行い、ＯＦＤＭＡ／ＴＤＭＡ方式により無線伝送を行う無線伝送システムの基地局装置において、端末局に送信する下りデータから、複数のＱｏＳクラスの中で固定レートかつ遅延保証を行う優先クラスの下りデータと、その他のＱｏＳクラスの下りデータを分類する手段と、優先クラスの下りデータを時間領域／周波数領域で指定された無線スロットに割り当て、残りの無線スロットに優先クラス以外のＱｏＳクラスの下りデータを割り当てて送信する手段と、端末局から受信する上りデータから優先クラスに割り当てられた無線スロットを抜き出し、その他のＱｏＳクラスに割り当てられた無線スロットと分離して処理する手段とを備える。
【００１６】
ここで、優先クラスの下りデータを周波数領域で指定された無線スロットに割り当て、上りデータから優先クラスに割り当てられた無線スロットを抜き出す処理部を構成する第１のチップと、優先クラス以外のＱｏＳクラスの下りデータを無線スロットに割り当て、受信信号から優先クラス以外のＱｏＳクラスに割り当てられた無線スロットを分離して処理する処理部を構成する第２のチップを共通のチップ構成としてもよい。
【発明の効果】
【００１７】
本発明は、複数のＱｏＳクラスの中で固定レートかつ遅延保証を行う優先クラスに対して、他のＱｏＳクラスとは分離した時間領域または周波数領域に無線スロットを設け、当該優先クラスのコネクション接続時に当該無線スロットを固定的に割り当てる。これにより、優先クラスのデータに対して送信バッファと受信バッファで費やす処理遅延を回避し、優先クラスに対する伝送遅延を小さく抑え、遅延保証を可能にすることができる。
【発明を実施するための最良の形態】
【００１８】
（第１の実施形態）
図１は、本発明の第１の実施形態の装置構成例を示す。図２は、本発明の第１の実施形態のフレーム構成を示す。
【００１９】
本実施形態の特徴は、固定レートかつ遅延保証を行うＵＧＳクラスに対して、図２に示すように、ＯＦＤＭＡフレーム内の所定の時間領域に他のＱｏＳクラスと分離した専用の無線スロットを用意し、ＵＧＳクラスのコネクション接続時にこの無線スロットを固定的に割り当てるところにある。このＵＧＳクラスに割り当てられる下り回線および上り回線の無線スロットは、コネクション接続時にＱｏＳパラメータの固定レート、遅延保証量等に基づいて割当周期および割当量が決定され、その割当のアサイン情報が固定される。さらに、このアサイン情報は接続が終了するまで、あるいは基地局または端末局から設定変更の要求が発生するまで固定される。
【００２０】
図１において、基地局１００は、下り回線の経路に、ＵＧＳ識別部１１０、送信バッファ１０１、ＭＡＣ部１０２、変調部１０３、上り回線と共用するＳＷ１０４および送受信アンテナ１０５を備え、上り回線の経路に、復調部１０６、ＭＡＣ部１０７、受信バッファ１０８、ＵＧＳ挿入部１１１を備える。
【００２１】
ＵＧＳ識別部１１０は、入力する下りデータについてＵＧＳクラスとそれ以外のＱｏＳクラスを識別し、ＵＧＳクラスの下りデータをＭＡＣ部１０２に直接入力する。また、ＵＧＳクラス以外の下りデータは、送信バッファ１０１に蓄積し、優先制御、帯域保証等で設定されたパラメータに基づき、次に送信するフレームに割り当てるデータ量を算出する。ＭＡＣ部１０２では、コネクション接続時にＵＧＳクラスに割り当てられた無線スロットにＵＧＳクラスの下りデータを割り当て、残りの無線スロットにＵＧＳクラス以外のＱｏＳクラスの下りデータを割り当てる。スケジューラ１０９は、送信バッファ１０１から下りキュー情報およびＵＧＳクラス以外のＱｏＳクラスを入力し、上り回線のＭＡＣ部１０７から上りデマンド情報を入力し、アサイン情報を生成して下り回線のＭＡＣ部１０２に与え、下り回線を介して端末局２００に通知する構成である。
【００２２】
上り回線のＭＡＣ部１０７は、コネクション接続時にＵＧＳクラスに割り当てられたアサイン情報に基づいて、上り受信フレームの中のＵＧＳクラスに指定された無線スロットを抜き出し、受信バッファ１０８を介さずにＵＧＳ挿入部１１１に入力する。また、ＵＧＳクラス以外の上りデータは受信バッファ１０８に蓄積され、ＵＧＳ挿入部１１１でＵＧＳクラスの上りデータと合わせて出力される。
【００２３】
端末局２００は、上り回線の経路に、送信バッファ２０１、ＭＡＣ部２０２、変調部２０３、下り回線と共用するＳＷ２０４および送受信アンテナ２０５を備え、下り回線の経路に、復調部２０６、ＭＡＣ部２０７、受信バッファ２０８を備える。
【００２４】
下り回線のＭＡＣ部２０７は、コネクション接続時にＵＧＳクラスに割り当てられたアサイン情報に基づいて、下り受信フレームの中のＵＧＳクラスに指定された無線スロットを抜き出し、受信バッファ２０５を介さずに出力する。上り回線も同様に、ＵＧＳクラスの上りデータは送信バッファ２０１を介さずに直接ＭＡＣ部２０２に入力し、コネクション接続時にＵＧＳクラスに割り当てられた無線スロットに上りデータを割り当てる。
【００２５】
デマンド生成部２０９は、送信バッファ２０１からＵＧＳクラス以外のＱｏＳクラスおよび上りキュー情報を入力し、上りデマンド情報を生成して上り回線のＭＡＣ部２０２に与え、上り回線を介して基地局１００に通知する構成である。また、下り回線のＭＡＣ部２０７は、基地局１００から送信されたアサイン情報を分離し、上り回線のＭＡＣ部２０２に与える構成である。
【００２６】
（第２の実施形態）
図３は、本発明の第２の実施形態のフレーム構成を示す。図４は、本発明の第２の実施形態の装置構成例を示す。
【００２７】
本実施形態の特徴は、固定レートかつ遅延保証を行うＵＧＳクラスに対して、図３に示すように、ＯＦＤＭＡフレーム内の所定の周波数領域に他のＱｏＳクラスと分離した専用の無線スロットを用意し、ＵＧＳクラスのコネクション接続時にこの無線スロットを固定的に割り当てるところにある。
【００２８】
図４において、本実施形態の装置構成は、第１の実施形態と同様に、基地局１００ではＵＧＳクラスの下りデータを送信バッファ１０１に入力せず、ＵＧＳクラスの上りデータを受信バッファ１０８に入力せずに処理し、端末局２００ではＵＧＳクラスの下りデータを受信バッファ２０８に入力せずに処理し、ＵＧＳクラスの上りデータを送信バッファ２０１に入力せずに処理する。ただし、本実施形態では、ＵＧＳクラスをＯＦＤＭＡフレーム内の所定の周波数領域の無線スロットに割り当てるために、基地局１００にＵＧＳ用送信部およびＵＧＳ用受信部を備え、端末局２００にＵＧＳ用送信部およびＵＧＳ用受信部を備える。
【００２９】
下り回線において、基地局１００のＵＧＳクラスの下りデータはＵＧＳ識別部１１０で識別され、ＵＧＳ用送信部を形成するＭＡＣ部１１２、変調部１１３に入力する。ＭＡＣ部１１２は、ＵＧＳクラスのコネクション接続時にスケジューラ１０９から指定された周波数領域の無線スロットにＵＧＳクラスの下りデータを割り当て、変調部１１３でこの周波数のみの変調信号を生成する。一方、ＵＧＳクラス以外の下りデータは、送信バッファ１０１に蓄積し、優先制御、帯域保証等で設定されたパラメータに基づき、次に送信するフレームに割り当てるデータ量を算出する。ＭＡＣ部１０２では、ＵＧＳクラスの下りデータが割り当てられる周波数領域以外の無線スロットにＵＧＳクラス以外のＱｏＳクラスの下りデータを割り当て、変調部１０３で変調信号を生成する。ＵＧＳクラスおよびＵＧＳクラス以外のＱｏＳクラスの各下りデータに対応する変調信号は結合部１１４で結合して送信信号が生成され、ＳＷ１０４および送受信アンテナ１０５を介して送信される。端末局２００の受信信号は、ＵＧＳ用受信部を形成する復調部２１５、ＭＡＣ部２１６に入力してＵＧＳ用に指定された周波数領域のみが復調され、ＵＧＳクラスの下りデータとして出力される。
【００３０】
上り回線において、端末局２００のＵＧＳクラスの上りデータは、ＵＧＳ用送信部を形成するＭＡＣ部２１２、変調部２１３に入力する。ＭＡＣ部２１２は、ＵＧＳクラスのコネクション接続時に指定された周波数領域の無線スロットにＵＧＳクラスの上りデータを割り当て、変調部２１３でこの周波数のみの変調信号を生成する。一方、ＵＧＳクラス以外の上りデータは、送信バッファ２０１に蓄積し、優先制御、帯域保証等で設定されたパラメータに基づき、次に送信するフレームに割り当てるデータ量を算出する。ＭＡＣ部２０２では、ＵＧＳクラスの上りデータが割り当てられる周波数領域以外の無線スロットにＵＧＳクラス以外のＱｏＳクラスの上りデータを割り当て、変調部２０３で変調信号を生成する。ＵＧＳクラスおよびＵＧＳクラス以外のＱｏＳクラスの各上りデータに対応する変調信号は結合部２１４で結合して送信信号が生成され、ＳＷ２０４および送受信アンテナ２０５を介して送信される。基地局１００の受信信号は、ＵＧＳ用受信部を形成する復調部１１５、ＭＡＣ部１１６に入力してＵＧＳ用に指定された周波数領域のみが復調され、ＵＧＳクラスの上りデータとしてＵＧＳ挿入部１１８に出力される。ＵＧＳ挿入部１１８は、ＵＧＳクラスおよびＵＧＳクラス以外のＱｏＳクラスの各上りデータを合わせて出力する。
【００３１】
基地局１００と端末局２００における上りデマンド情報およびアサイン情報のやりとり、その他の処理は第１の実施形態と同様である。
【００３２】
（第３の実施形態）
図５は、本発明の第３の実施形態の装置構成例を示す。
本実施形態における基地局１００および端末局２００の装置構成は、第２の実施形態におけるＵＧＳクラスの処理系とＵＧＳクラス以外のＱｏＳクラスの処理系のレイアウトを変更したものであり、送信／受信バッファ、ＭＡＣ部、変調／復調部で構成される標準チップをＵＧＳクラスの伝送に利用可能な構成を示す。
【００３３】
ここで、基地局１００における標準チップは、送信バッファ１０１、ＭＡＣ部１０２、変調部１０３、復調部１０６、ＭＡＣ部１０７、受信バッファ１０８およびスケジューラ１０９を含む。また、ＵＧＳ用の標準チップは、同様に送信バッファ１１１、ＭＡＣ部１１２、変調部１１３、復調部１１５、ＭＡＣ部１１６、受信バッファ１１７を含み、ＭＡＣ部１１２，１１６で用いるアサイン情報はＵＧＳクラス以外のＱｏＳクラスで用いる標準チップのスケジューラ１０９から入力する構成とする。
【００３４】
端末局２００における標準チップは、送信バッファ２０１、ＭＡＣ部２０２、変調部２０３、復調部２０６、ＭＡＣ部２０７、受信バッファ２０８およびデマンド生成部２０９を含む。また、ＵＧＳ用の標準チップは、同様に送信バッファ２１１、ＭＡＣ部２１２、変調部２１３、復調部２１５、ＭＡＣ部２１６、受信バッファ２１７を含み、ＭＡＣ部２１２，２１６で用いるアサイン情報はＵＧＳクラス以外のＱｏＳクラスで用いる標準チップのＭＡＣ部２０７から入力する構成とする。
【００３５】
このＵＧＳ用の標準チップにおける送信バッファ１１１，２１１および受信バッファ１１７，２１７は、バッファサイズを小さくして蓄積による遅延をなくしている。このような構成により、ＵＧＳクラスの低遅延化に標準チップを利用することが可能となり、ＵＧＳクラス用にチップを新規に線形・製造しないですむメリットがある。
【００３６】
（第４の実施形態）
図６は、本発明の第４の実施形態のフレーム構成を示す。
IEEE802.16e-2005標準では、複数のゾーン（FUSC (Fully Used Subchannelization) 、PUSC (Partially Used Subchannelization) 、Optional FUSC 、Optional PUSC 、AMC (Adaptive Modulation and Coding)など、サブチャネル割り当て方法が異なる領域）を同じサブフレーム内に同時に割り当てることが可能になっている。これにより、セル配下の端末局の環境条件に応じて、多用なサブチャネル割り当てが提供可能となる。なお、マルチゾーンを下りに適用する場合は、１サブフレームに最大８ゾーンまでの設定になっている。本実施形態では、第１の実施形態のＵＧＳクラスを時間領域の無線スロットに割り当てる方法として、このマルチゾーン方式のフレーム内の時間区分を利用する例を示す。
【００３７】
（第５の実施形態）
図７は、本発明の第５の実施形態のフレーム構成を示す。
本実施形態では、第２，第３の実施形態のＵＧＳクラスを周波数領域の無線スロットに割り当てる方法として、IEEE802.16e-2005標準にあるセグメント分割を下りサブフレーム内の使用周波数区分に用い、Band-AMCを上りサブフレームに用いる例を示す。
【図面の簡単な説明】
【００３８】
【図１】本発明の第１の実施形態の装置構成例を示す図。
【図２】本発明の第１の実施形態のフレーム構成を示す図。
【図３】本発明の第２の実施形態のフレーム構成を示す図。
【図４】本発明の第２の実施形態の装置構成例を示す図。
【図５】本発明の第３の実施形態の装置構成例を示す図。
【図６】本発明の第４の実施形態のフレーム構成を示す図。
【図７】本発明の第５の実施形態のフレーム構成を示す図。
【図８】従来の無線伝送システムの装置構成例を示す図。
【図９】従来のフレーム構成を示す図。
【符号の説明】
【００３９】
１００  基地局
１０１，１１１  送信バッファ
１０２，１０７，１１２，１１６  ＭＡＣ（媒体アクセス制御）部
１０３，１１３  変調部
１０４  ＳＷ（送受信スイッチ）
１０５  送受信アンテナ
１０６，１１５  復調部
１０８，１１７  受信バッファ
１０９  スケジューラ
１１０  ＵＧＳ識別部
１１４  結合部
１１８  ＵＧＳ挿入部
２００  端末局
２０１，２１１  送信バッファ
２０２，２０７，２１２，２１６  ＭＡＣ（媒体アクセス制御）部
２０３，２１３  変調部
２０４  ＳＷ（送受信スイッチ）
２０５  送受信アンテナ
２０６，２１５  復調部
２０８，２１７  受信バッファ
２０９  デマンド生成部
２１４  結合部
【図１】
2009130791.tif 000003
【図２】
2009130791.tif 000004
【図３】
2009130791.tif 000005
【図４】
2009130791.tif 000006
【図５】
2009130791.tif 000007
【図６】
2009130791.tif 000008
【図７】
2009130791.tif 000009
【図８】
2009130791.tif 000010
【図９】
2009130791.tif 000011